(57)【要約】  切断および凝固のための単極モードと双極モードの両方で使用することができる、超極性電気外科用ブレード、ならびに超極性伸縮および非伸縮電気外科用ペンシル。超極性伸縮および非伸縮電気外科用ペンシルは、非常に低い電力レベル（１５〜２０ワットなどまたはそれ以下）で動作して、組織を切断も凝固もすることができ、それによって患者のリスクおよび組織への損傷を軽減する。
2019528988.tif 000002
【特許請求の範囲】
【請求項１】
第１の端部および第２の端部を有するハンドピース部材と、
第１の端部および第２の端部を有する中空伸縮部材であって、前記中空伸縮部材の前記第２の端部が前記ハンドピース部材の前記第１の端部内に同心円状に配置される中空伸縮部材と、
前記中空伸縮部材の前記第１の端部内に少なくとも部分的に配置される電気外科用ブレードであって、対向する平坦側部および切断縁部を備える非導電性部材、一方の対向する平坦側部に、前記一方の対向する平坦側部の少なくとも一部が前記切断縁部付近に露出するように配置された、アクティブ電極、ならびに他方の対向する平坦側部に、前記他方の対向する平坦側部の少なくとも一部が前記切断縁部付近に露出するように配置された、リターン電極を含む、電気外科用ブレードと
を備える、超極性伸縮電気外科用ペンシル。
【請求項２】
前記電気外科用ペンシルが、電気外科手術を行うために使用する際に単極モードと双極モードの両方で使用することができる、請求項１に記載の超極性伸縮電気外科用ペンシル。
【請求項３】
前記電気外科用ペンシルが、２０ワット未満の電力レベルで組織を切断および凝固することが可能である、請求項２に記載の超極性伸縮電気外科用ペンシル。
【請求項４】
前記電気外科用ブレードの少なくとも一部を前記中空伸縮部材内に保持するための、前記中空伸縮部材内に位置する保持部材をさらに備える、請求項１に記載の超極性伸縮電気外科用ペンシル。
【請求項５】
第１の絶縁ワイヤであって、前記電気外科用ブレードの前記アクティブ電極、および前記第１の絶縁ワイヤの少なくとも一部を前記ハンドピース部材の上部内側付近に保持するための第１の保持要素に接続された、第１の絶縁ワイヤをさらに備える、請求項１に記載の超極性伸縮電気外科用ペンシル。
【請求項６】
第２の絶縁ワイヤであって、前記電気外科用ブレードの前記リターン電極、および前記第２の絶縁ワイヤの少なくとも一部を前記ハンドピース部材の下部内側付近に保持するための第２の保持要素に接続された、第２の絶縁ワイヤをさらに備える、請求項５に記載の超極性伸縮電気外科用ペンシル。
【請求項７】
前記ハンドピース部材および前記中空伸縮部材が、前記電気外科用ペンシルが利用されている手術部位から離れる方向に煙およびデブリのうちの少なくとも１つを排出するための排出チャネルを形成する、請求項６に記載の超極性伸縮電気外科用ペンシル。
【請求項８】
前記ハンドピース部材の前記第２の端部に接続された旋回部材をさらに備える、請求項７に記載の超極性伸縮電気外科用ペンシル。
【請求項９】
前記ノズル部材、前記ハンドピース部材、および前記中空伸縮部材が、前記電気外科用ペンシルが利用されている手術部位から離れる方向に煙およびデブリのうちの少なくとも１つを排出するための排出チャネルを形成する、請求項９に記載の超極性伸縮電気外科用ペンシル。
【請求項１０】
前記ハンドピース部材の上部内面に取り付けられた導電性細長接点部材と、前記導電性細長接点部材に対して摺動可能に係合することができるように前記電気外科用ブレードの前記アクティブ電極に接続された導電性接点部材とをさらに備える、請求項１に記載の超
極性伸縮電気外科用ペンシル。
【請求項１１】
前記中空伸縮部材内に収容され、前記電気外科用ブレードの前記リターン電極に接続された、中空導電性管状部材と、前記中空導電性管状部材内でその長さに沿って摺動することができるように前記ハンドピース部材内に収容された中実導電性ロッド部材とをさらに備える、請求項１０に記載の超極性伸縮電気外科用ペンシル。
【請求項１２】
前記ハンドピース部材および前記中空伸縮部材が、前記電気外科用ペンシルが利用されている手術部位から離れる方向に煙およびデブリのうちの少なくとも１つを排出するための排出チャネルを形成する、請求項１１に記載の超極性伸縮電気外科用ペンシル。
【請求項１３】
前記中空伸縮部材の前記第１の端部に接続されたノズル部材であって、前記電気外科用ブレードの少なくとも一部が前記ノズル部材内に配置されるノズル部材をさらに備える、請求項１１に記載の超極性伸縮電気外科用ハンドピース。
【請求項１４】
前記ノズル部材、前記ハンドピース部材、および前記中空伸縮部材が、前記電気外科用ペンシルが利用されている手術部位から離れる方向に煙およびデブリのうちの少なくとも１つを排出するための排出チャネルを形成する、請求項１３に記載の超極性伸縮電気外科用ペンシル。
【請求項１５】
前記ハンドピース部材の前記第２の端部に接続された第１の端部と、真空管に接続可能な第２の端部とを有する中空旋回部材をさらに備える、請求項１４に記載の超極性伸縮電気外科用ペンシル。
【請求項１６】
第１の端部および第２の端部を有するハンドピース部材と、
第１の端部および第２の端部を有する中空伸縮部材であって、前記中空伸縮部材の前記第２の端部が前記ハンドピース部材の前記第１の端部内に同心円状に配置される中空伸縮部材と、
前記中空伸縮部材の前記第１の端部内に少なくとも部分的に配置される電気外科用ブレードであって、対向する平坦側部および切断縁部を備える非導電性部材、一方の対向する平坦側部に、前記一方の対向する平坦側部の少なくとも一部が前記切断縁部付近に露出するように配置された、アクティブ電極、ならびに他方の対向する平坦側部に、前記他方の対向する平坦側部の少なくとも一部が前記切断縁部付近に露出するように配置された、リターン電極を含む、電気外科用ブレードと、
第１の絶縁ワイヤであって、前記電気外科用ブレードの前記アクティブ電極、および前記第１の絶縁ワイヤの少なくとも一部を前記ハンドピース部材の上部内側付近に保持するための第１の保持要素に接続された、第１の絶縁ワイヤと、
第２の絶縁ワイヤであって、前記電気外科用ブレードの前記リターン電極、および前記第２の絶縁ワイヤの少なくとも一部を前記ハンドピース部材の下部内側付近に保持するための第２の保持要素に接続された、第２の絶縁ワイヤと
を備える、超極性伸縮電気外科用ペンシル。
【請求項１７】
第１の端部および第２の端部を有するハンドピース部材と、
第１の端部および第２の端部を有する中空伸縮部材であって、前記中空伸縮部材の前記第２の端部が前記ハンドピース部材の前記第１の端部内に同心円状に配置される中空伸縮部材と、
前記中空伸縮部材の前記第１の端部内に少なくとも部分的に配置される電気外科用ブレードであって、対向する平坦側部および切断縁部を備える非導電性部材、一方の対向する平坦側部に、前記一方の対向する平坦側部の少なくとも一部が前記切断縁部付近に露出するように配置された、アクティブ電極、ならびに他方の対向する平坦側部に、前記他方の
対向する平坦側部の少なくとも一部が前記切断縁部付近に露出するように配置された、リターン電極を含む、電気外科用ブレードと、
前記ハンドピース部材の上部内面に取り付けられた導電性細長接点部材、および前記導電性細長接点部材に対して摺動可能に係合することができるように前記電気外科用ブレードの前記アクティブ電極に接続された導電性接点部材と、
前記中空伸縮部材内に収容され、前記電気外科用ブレードの前記リターン電極に接続された、中空導電性管状部材、および前記中空導電性管状部材内でその長さに沿って摺動することができるように前記ハンドピース部材内に収容された中実導電性ロッド部材と
を備える、超極性伸縮電気外科用ペンシル。
【請求項１８】
第１および第２の対向する平坦側部ならびに鋭利な切断端を有する非導電性部材と、
前記非導電性部材の前記第１の対向する平坦側部に、前記第１の対向する平坦側部の少なくとも一部が前記切断端付近に露出するように配置された、アクティブ電極と、
前記非導電性部材の前記第２の対向する平坦側部に、前記第２の対向する平坦側部の少なくとも一部が前記切断端付近に露出するように配置された、リターン電極と
を備える、電気外科用ブレード。
【請求項１９】
前記アクティブ電極および前記リターン電極の両方がそれぞれ、細長いフック形構成であって、各細長いフック形構成のフック部分が前記非導電性部材の前記鋭利な切断端付近に位置する細長いフック形構成を備える、請求項１８に記載の電気外科用ブレード。
【請求項２０】
ハンドピース部材と、
前記ハンドピースに接続される電気外科用ブレードであって、対向する平坦側部および鋭利な切断端を有する非導電性部材、前記非導電性部材の一方の対向する平坦側部に、前記一方の対向する平坦側部の少なくとも一部が前記鋭利な切断端付近に露出するように配置された、アクティブ電極、ならびに前記非導電性部材の他方の対向する平坦側部に、前記他方の対向する平坦側部の少なくとも一部が前記鋭利な切断端付近に露出するように配置された、リターン電極を備える、電気外科用ブレードと
を備える、電気外科用ハンドピースペンシル。
【発明の詳細な説明】
【技術分野】
【０００１】
本発明は一般に、切断および凝固のための単極モードと双極モードの両方で使用される、超極性電気外科用ブレードおよび超極性電気外科用ペンシルを対象とする。超極性電気外科用ブレードは、対向する平坦側部、切断端、および対向する非切断端を備える非導電性部材と、非導電性部材の一方の対向する平坦側部に位置するアクティブ電極と、非導電性部材の他方の対向する平坦側部に位置するリターン電極とを有する。
【０００２】
本発明はまた、切断および凝固のための単極モードと双極モードの両方で使用される、超極性伸縮電気外科用ペンシルをも対象とする。超極性伸縮電気外科用ペンシルは、第１および第２の端部を有するハンドピース部材と、第１および第２の端部を有する中空伸縮部材であって、中空伸縮部材の少なくとも一部がハンドピース部材の第１の端部内に同心円状に配置される中空伸縮部材と、中空伸縮部材の第１の端部内に配置される電気外科用ブレードであって、対向する平坦側部および切断縁部を備える非導電性部材、一方の対向する平坦側部に、一方の対向する平坦側部の少なくとも一部が切断縁部付近に露出するように配置された、アクティブ電極、ならびに他方の対向する平坦側部に、他方の対向する平坦側部の少なくとも一部が切断縁部付近に露出するように配置された、リターン電極を含む、電気外科用ブレードとを含む。中空伸縮部材およびハンドピース部材はまた、手術部位から離れる方向に煙および／またはデブリを排出するための排出チャネルを形成し得る。
【背景技術】
【０００３】
電気外科手術は、ＲＦ電気外科発生器（電気手術器またはＥＳＵとしても知られる）、および様々な電圧で高周波交流無線周波（ＲＦ）電流の入力を与えて生体組織を切断または凝固する電極を備えるハンドピースを使用する。ハンドピースは、１つの電極を備える単極の器具または２つの電極を備える双極の器具であり得る。単極の器具を使用する際には、リターン電極板が患者に取り付けられ、高周波電流が発生器から単極の器具へ、患者を通って患者のリターン電極板へ流れて、発生器に戻る。その汎用性および有効性のために、単極電気外科手術が一般に用いられている。しかし、患者の背中に配置されたリターン電極が高電圧および高ＲＦエネルギを患者に通すため、単極電気外科手術で発生する過剰な熱が、過剰な組織損傷およびその組織の壊死を引き起こす恐れがある。
【０００４】
双極電気外科手術では、アクティブ電極とリターン電極の両方が双極の器具に収容されているため、アクティブ出力機能と患者リターン機能の両方が手術部位で生じる。したがって、電流の経路は、アクティブ電極とリターン電極との間に位置する生体組織に限定される。双極電気外科手術は、より低い電圧およびより少ないエネルギの使用を可能にし、それによって単極電気外科手術に関連する組織損傷およびスパークが起きる可能性を低減または排除するが、広い出血領域を切断および凝固する能力が限られている。
【発明の概要】
【発明が解決しようとする課題】
【０００５】
したがって、切断および凝固のための単極モードと双極モードの両方で使用することができ、それによって単極モードで使用する際には組織損傷なしに組織の広い領域を切断および凝固する自由度を可能にし、双極モードで使用する際には患者を通るエネルギの通過をなくす、電気外科用ブレードおよび電気外科用ペンシルが必要である。鋭利な切断端と、非導電性部材の一方の対向する平坦側部に配置されたアクティブ電極と、非導電性部材の他方の対向する平坦側部に配置されたリターン電極とを有する超極性電気外科用ブレー
ドが、こうした超極性電気外科用ブレードをそれぞれが含む超極性電気外科用ペンシルおよび超極性伸縮電気外科用ペンシルと共に、この必要性を満たすことになる。本発明に関して説明する、鋭利な切断端と、電気外科用ブレードの対向する側部に配置されたアクティブおよびリターン電極とを備える超極性電気外科用ブレード（ならびにその超極性電気外科用ブレードをそれぞれが収容する超極性電気外科用ペンシルおよび超極性伸縮電気外科用ペンシル）は、単極モードと双極モードの両方で使用することができ、それによって外科医または操作者に自由度を与える。本発明に関して説明する超極性電気外科用ブレードは、煙排出能力を有しない電気外科用ハンドピース／ペンシル（伸縮式または非伸縮式）と共に使用することができるが、電気外科的処置中に煙排出が可能な電気外科用ペンシル／ハンドピース（伸縮式または非伸縮式）と共に使用することも意図している。本発明に関して説明する、超極性電気外科用ブレードを含む超極性伸縮電気外科用ペンシルはまた、ペンシルの伸縮部材およびペンシルの伸縮部材内に配置された電気外科用ブレードを伸長させることにより、使用者または外科医が、視認能力の向上に伴って、より容易かつ効率的に手術部位にアクセスすることも可能にする。
【課題を解決するための手段】
【０００６】
本発明は、第１および第２の対向する平坦側部、切断端、ならびに非切断端を有する非導電性平坦部材と、第１の対向する平坦側部に位置し、第１の対向する平坦側部の少なくとも一部が非導電性平坦部材の切断端付近に露出する、アクティブ電極と、第２の対向する平坦側部に位置し、第２の対向する平坦側部の少なくとも一部が非導電性平坦部材の切断端付近に露出する、リターン電極とを含む、超極性電気外科用ブレードを対象とする。本発明の超極性電気外科用ブレードの例示的な一実施形態では、第１の平坦側部に位置するアクティブ電極は、第２の平坦側部に位置するリターン電極の少なくとも一部と対称である。
【０００７】
非導電性平坦部材は、セラミックを含んでもよく、アクティブ電極およびリターン電極は、ステンレス鋼、銅、および／またはタングステンを含んでもよい。本発明の超極性電気外科用ブレードの別の例示的な実施形態では、アクティブ電極およびリターン電極はそれぞれ、非導電性平坦部材の半分の長さを超えて延在する細長い導電層の形をとってもよい。アクティブ電極の細長い導電層の少なくとも一部は、第１の対向する平坦側部の１つまたは複数の対向する細長い縁部まで、またその部分長に沿って延在してもよく、リターン電極の細長い導電層の少なくとも一部は、第２の対向する平坦側部の１つまたは複数の対向する細長い縁部まで、またその部分長に沿って延在してもよい。
【０００８】
本発明の超極性電気外科用ブレードのさらに別の例示的な実施形態では、超極性電気外科用ブレードは、対向する細長い縁部を備える第１および第２の対向する平坦側部、切断端、ならびに対向する非切断端を有する非導電性平坦部材と、非導電性平坦部材の第１の対向する平坦側部に位置する、丸みを帯びたまたは尖ったフック状形構成を有するアクティブ電極と、非導電性平坦部材の第２の対向する平坦側部に位置する、丸みを帯びたまたは尖ったフック状形構成を有するリターン電極とを含む。アクティブ電極およびリターン電極のフック状形構成は、非導電性平坦部材の切断端付近に位置する、第１および第２の対向する平坦側部の少なくとも一部を覆うことなく、非導電性平坦部材の切断端付近に位置し得る。第１の対向する平坦側部に位置するアクティブ電極のフック状形構成の少なくとも一部は、非導電性平坦部材の第２の対向する平坦側部に位置するリターン電極のフック状形構成の少なくとも一部と対称であってもよい。非導電性平坦部材は、セラミックを含んでもよく、第１および第２のアクティブ電極および第１および第２のリターン電極は、ステンレス鋼、銅、および／またはタングステンを含んでもよい。
【０００９】
非導電性平坦部材の切断端は、鋭利な切断端であり、鋭利な切断縁部の形状／構成をとってもよく、非導電性平坦部材の対向する平坦側部に位置するアクティブ電極およびリタ
ーン電極はそれぞれ、鋭利な切断縁部に最も近い非導電性平坦部材の一部を依然として露出させたままにしながら、非平坦部材の鋭利な切断縁部に隣接して位置している。
【００１０】
さらに、アクティブ電極およびリターン電極のそれぞれの一部は、非導電性平坦部材の対向する非切断端まで延在してもよい。本発明の超極性電気外科用ブレードは、非導電性平坦部材の非切断端付近に位置する、アクティブ電極と連通する第１の導電性インサート部材と、非導電性平坦部材の非切断端付近に位置する、リターン電極と連通する第２の導電性インサート部材とをさらに備えてもよい。第１および第２の導電性インサートはそれぞれ、真鍮および／または銅製の金属接点部材を備えてもよい。
【００１１】
本発明の超極性電気外科用ブレードは、電気外科手術を行うために使用する際に単極モードと双極モードの両方で使用することができる。アクティブ電極と連通する導電性インサートは、電気外科用ペンシルを作動させるための、電気外科用ペンシル内に収容された回路基板に接続されており（その回路基板はさらには、ワイヤなどの電気的接続手段を通じて電気手術器発生器に接続されており）、リターン電極と連通する導電性インサートは、ワイヤなどの電気的接続手段を通じて電気手術器発生器に接続されており、したがって超極性電気外科用ブレードのアクティブ接点およびリターン接点は電気手術器発生器に接続されている。本発明の超極性電気外科用ブレードを単極モードで使用する際には、電気手術器発生器上で単極電力出力モードを選択する。本発明の超極性電気外科用ブレードを双極モードで使用する際には、電気手術器発生器上で双極電力出力モードを選択する。
【００１２】
本発明はまた、第１および第２の端部を備えるハンドピースと、ハンドピースの第１の端部に配置される電気外科用ブレードであって、対向する平坦側部、切断端、および対向する非切断端を有する非導電性平坦部材、一方の対向する平坦側部に位置し、一方の対向する平坦側部の少なくとも一部が非導電性平坦部材の非導電性切断端付近に露出する、アクティブ電極、ならびに他方の対向する平坦側部に位置し、他方の対向する平坦側部の少なくとも一部が非導電性平坦部材の非導電性切断端付近に露出する、リターン電極を含む、電気外科用ブレードとを有する、超極性電気外科用ペンシルをも対象とする。ハンドピースは、電気外科用ペンシルの作動中に手術部位から煙およびデブリを排出するための、その中に収容された煙排出チャネルをさらに備えてもよい。加えて、ハンドピースは、非導電性平坦部材の鋭利な切断端／縁部が、超極性電気外科用ブレードに電力を印加することなく正確な切断を行うことができるので、１つだけの凝固用の作動ボタンをさらに備えてもよい。あるいは、ハンドピースは、２つ以上の切断および凝固用の作動ボタンを含んでもよい。超極性電気外科用ブレードはまた、超極性電気外科用ブレードを電気外科用ペンシルに接続するように機能するコネクタをも含んでもよい。
【００１３】
本発明は、第１および第２の端部を有するハンドピース部材と、第１および第２の端部を有する中空伸縮部材であって、中空伸縮部材の第２の端部がハンドピース部材の第１の端部内に同心円状に配置される中空伸縮部材と、中空伸縮部材の第１の端部内に少なくとも部分的に配置される電気外科用ブレードであって、対向する平坦側部および切断縁部を備える非導電性部材、一方の対向する平坦側部に、一方の対向する平坦側部の少なくとも一部が切断縁部付近に露出するように配置された、アクティブ電極、ならびに他方の対向する平坦側部に、他方の対向する側部の少なくとも一部が切断縁部付近に露出するように配置された、リターン電極を含む、電気外科用ブレードとを含む、超極性伸縮電気外科用ペンシルをさらに対象とする。超極性伸縮電気外科用ペンシルは、電気外科手術を行うために使用する際に単極モードと双極モードの両方で使用することができる。加えて、本発明の超極性伸縮電気外科用ペンシルは、低い電力レベル、すなわち２０ワット未満の電力レベルで、組織を切断および凝固することが可能である。
【００１４】
超極性伸縮電気外科用ペンシルは、電気外科用ブレードの少なくとも一部を伸縮部材内
に保持するための、中空伸縮部材内に位置する保持部材をさらに備える。ハンドピース部材および中空伸縮部材は、超極性伸縮電気外科用ペンシルが利用されている手術部位から離れる方向に煙および／またはデブリを排出するための排出チャネルを形成し得る。
【００１５】
中空伸縮部材の第１の端部には、ノズル部材が、電気外科用ブレードの少なくとも一部がノズル部材および中空伸縮部材の第１の端部内に配置されるように、接続されてもよい。超極性伸縮電気外科用ペンシルはまた、手術部位から煙および／またはデブリを排出するための、電気外科用ペンシルに接続された真空管のねじれおよびよじれを抑制するために、ハンドピース部材の第２の端部に接続された、旋回部材をも含んでもよい。手術部位からの煙および／またはデブリの排出に対応する本発明の超極性伸縮電気外科用ペンシルの実施形態では、ノズル、中空伸縮部材、ハンドピース部材、および旋回部材の全てが、手術部位から離れる方向に煙および／またはデブリを排出するための排出チャネルを形成し得る。
【００１６】
例示的な一実施形態では、本発明の超極性伸縮電気外科用ペンシルは、第１および第２の端部を有するハンドピース部材と、第１および第２の端部を有する中空伸縮部材であって、中空伸縮部材の第２の端部がハンドピース部材の第１の端部内に同心円状に配置される中空伸縮部材と、中空伸縮部材の第１の端部内に少なくとも部分的に配置される電気外科用ブレードであって、対向する平坦側部および切断縁部を備える非導電性部材、一方の対向する平坦側部に、一方の対向する平坦側部の少なくとも一部が切断縁部付近に露出するように配置された、アクティブ電極、ならびに他方の対向する平坦側部に、他方の対向する側部の少なくとも一部が切断縁部付近に露出するように配置された、リターン電極を含む、電気外科用ブレードと、第１の絶縁ワイヤであって、電気外科用ブレードのアクティブ電極、および第１の絶縁ワイヤの少なくとも一部をハンドピース部材の上部内側付近に保持するための第１の保持要素に接続された、第１の絶縁ワイヤと、第２の絶縁ワイヤであって、電気外科用ブレードのリターン電極、および第２の絶縁ワイヤの少なくとも一部をハンドピース部材の下部内側付近に保持するための第２の保持要素に接続された、第２の絶縁ワイヤとを含む。この例示的な実施形態はまた、上述したノズル部材および旋回部材をも含んでよく、ノズル部材、中空伸縮部材、ハンドピース部材、および旋回部材が、手術部位から離れる方向に煙および／またはデブリを排出するための排出チャネルを形成し得る。
【００１７】
別の例示的な実施形態では、本発明の超極性伸縮電気外科用ペンシルは、第１および第２の端部を有するハンドピース部材と、第１および第２の端部を有する中空伸縮部材であって、中空伸縮部材の第２の端部がハンドピース部材の第１の端部内に同心円状に配置される中空伸縮部材と、中空伸縮部材の第１の端部内に少なくとも部分的に配置される電気外科用ブレードであって、対向する平坦側部および切断縁部を備える非導電性部材、一方の対向する平坦側部に、一方の対向する平坦側部の少なくとも一部が切断縁部付近に露出するように配置された、アクティブ電極、ならびに他方の対向する平坦側部に、他方の対向する側部の少なくとも一部が切断縁部付近に露出するように配置された、リターン電極を含む、電気外科用ブレードと、ハンドピース部材の上部内面に取り付けられた導電性細長接点部材、および導電性細長接点部材に対して摺動可能に係合することができるように電気外科用ブレードのアクティブ電極に接続された導電性接点部材と、中空伸縮部材内に収容され、電気外科用ブレードのリターン電極に接続された、中空導電性管状部材、および中空導電性管状部材内でその長さに沿って摺動することができるようにハンドピース部材に接続された中実導電性ロッド部材とを含む。
【００１８】
この第２の例示的な実施形態では、導電性接点部材の少なくとも一部は、中空伸縮部材内およびその内部に配置されてもよく、導電性接点部材の少なくとも一部は、導電性接点部材の外面に配置されてもよい。加えて、中空伸縮部材内に収容され、電気外科用ブレー
ドのリターン電極に接続された、中空導電性管状部材の代わりに、それは、中空伸縮部材内に収容され、電気外科用ブレードのリターン電極に接続された、中実導電性ロッドであることも可能である。この場合には、ハンドピース部材に接続された中実導電性ロッドの代わりに、中空導電性管状部材がハンドピース部材に接続されることになり、したがって中空伸縮部材内に収容された中実導電性ロッドは、ハンドピース部材内に収容された中空導電性管状部材内で摺動することができる。上述の第１の例示的な実施形態と同様に、この第２の例示的な実施形態も、上述したノズル部材および旋回部材を含んでもよく、ノズル部材、中空伸縮部材、ハンドピース部材、および旋回部材が、手術部位から離れる方向に煙および／またはデブリを排出するための排出チャネルを形成し得る。
【００１９】
本発明の超極性伸縮電気外科用ペンシルは、電気外科手術を行うために使用する際に単極モードと双極モードの両方で使用することができる。電気外科用ブレードのアクティブ電極と連通する、電気外科用ペンシル内の絶縁ワイヤまたは導電性接点部材は、電気外科用ペンシルを作動させるための、電気外科用ペンシル内に収容された回路基板に接続されており、その回路基板はさらには、ワイヤなどの電気的接続手段を通じて電気手術器発生器に接続されている。加えて、電気外科用ブレードのリターン電極と連通する絶縁ワイヤ、または導電性ロッド、または中空部材も、ワイヤなどの電気的接続手段を通じて電気手術器発生器に接続されており、したがって超極性伸縮電気外科用ペンシル内の超極性電気外科用ブレードのアクティブ接点およびリターン接点の両方が、電気手術器発生器に接続されている。本発明の超極性伸縮電気外科用ペンシルを単極モードで使用する際には、電気手術器発生器上で単極電力出力モードを選択する。本発明の超極性伸縮電気外科用ペンシルを双極モードで使用する際には、電気手術器発生器上で双極電力出力モードを選択する。
【図面の簡単な説明】
【００２０】
添付図面と併せて本発明を以下に説明し、図面において、同様の符号は同様の要素を表す。
【００２１】
【図１】図1は、本発明の超極性伸縮電気外科用ペンシルに使用される超極性電気外科用ブレードの例示的な実施形態の側面透視図である。
【図２】図２は、図１に示した超極性電気外科用ブレードの例示的な実施形態の反対側の側面図である。
【図３】図３は、本発明の超極性伸縮電気外科用ペンシルの例示的な一実施形態の別々の構成部品を示す側面断面図であり、図１および図２に図示した超極性電気外科用ブレードを、本発明の超極性伸縮電気外科用ペンシルの中空伸縮部材内に設置された状態で示している。
【図４】図４は、本発明の超極性伸縮電気外科用ペンシルの別の例示的な実施形態の別々の構成部品を示す側面断面図であり、図１および図２に図示した超極性電気外科用ブレードを、本発明の超極性伸縮電気外科用ペンシルの中空伸縮部材内に設置された状態で示している。
【図５】図５は、本発明の超極性伸縮電気外科用ペンシルのさらに別の例示的な実施形態の別々の構成部品を示す側面断面図であり、図１および図２に図示した超極性電気外科用ブレードを、本発明の超極性伸縮電気外科用ペンシルの中空伸縮部材内に設置された状態で示している。
【図６】図６は、本発明の非伸縮超極性電気外科用ペンシルの側面断面図である。
【発明を実施するための形態】
【００２２】
本発明の電気手術器（ＥＳＵ）単極および双極モードで使用される超極性伸縮電気外科用ペンシルの例示的な実施形態は、使用者または外科医が、ペンシル内の電気外科用ブレードの鋭利な非導電性先端で切断を行うこと、および電気外科用ブレードの電気接点を使
用することにより生体組織の広い領域の凝固を行うことを可能にする。本発明の超極性伸縮電気外科用ペンシルはまた、電気外科用ブレードのアクティブ電極およびリターン電極を用いても切断を行い得る。本発明の超極性伸縮電気外科用ペンシルの例示的な実施形態は、第１および第２の対向する平坦側部ならびに鋭利な切断縁部を有する非導電性部材と、非導電性部材の第１の対向する平坦側部に、第１の対向する平坦側部の少なくとも一部が切断縁部付近に露出するように配置された、アクティブ電極と、非導電性部材の第２の対向する平坦側部に、第２の対向する平坦側部の少なくとも一部が切断縁部付近に露出するように配置された、リターン電極とを有する、超極性電気外科用ブレードを含む。非導電性平坦部材の切断縁部は、生体組織を切断するための鋭利な非導電性切断縁部を形成することができ、一方、非導電性部材の対向する平坦側部に位置するアクティブ電極およびリターン電極は、生体組織の凝固および切断を行うために使用することができる。
【００２３】
本発明は、第１の端部および第２の端部を有するハンドピース部材と、第１の端部および第２の端部を有する中空伸縮部材であって、中空伸縮部材の第２の端部がハンドピース部材の第１の端部内に同心円状に配置される中空伸縮部材と、中空伸縮部材の第１の端部内に配置される電気外科用ブレードであって、対向する平坦側部および切断縁部を備える非導電性部材、一方の対向する平坦側部に、一方の対向する平坦側部の少なくとも一部が切断縁部付近に露出するように配置された、アクティブ電極、ならびに他方の対向する平坦側部に、他方の対向する平坦側部の少なくとも一部が切断縁部付近に露出するように配置された、リターン電極を含む、電気外科用ブレードとを含む、超極性伸縮電気外科用ペンシルを対象とする。
【００２４】
非導電性部材の一方の対向する平坦側部に位置するアクティブ電極は、他方の平坦側部に位置するリターン電極の少なくとも一部と対称であってもよい。電気外科用ブレード上のアクティブ電極およびリターン電極は、全体にわたって同じ厚さを有する導電層とすることができる。非導電性部材の頂部は、非導電性部材の鋭利な切断縁部よりも幅広とすることができ、非導電性部材は、その頂部の少なくとも一部からその底部の一部にかけて先細になってもよい。
【００２５】
非導電性平坦部材は、セラミックを含んでもよく、アクティブ電極およびリターン電極は、ステンレス鋼、銅、および／またはタングステンを含んでもよい。アクティブ電極およびリターン電極はそれぞれ、非導電性部材の半分の長さを超えて延在する細長い導電層の形をとってもよい。アクティブ電極の細長い導電層の少なくとも一部は、非導電性部材の一方の対向する平坦側部の１つまたは複数の対向する細長い縁部まで、またその部分長に沿って延在してもよく、リターン電極の細長い導電層の少なくとも一部は、非導電性部材の他方の対向する平坦側部の１つまたは複数の対向する細長い縁部まで、またその部分長に沿って延在してもよい。
【００２６】
図１は、本発明の超極性伸縮電気外科用ペンシルに使用される超極性電気外科用ブレード１０の例示的な実施形態の側面透視図である。超極性電気外科用ブレード１０は、第１および第２の対向する平坦側部１４，１６、頂部１８、底部２０、鋭利な切断縁部２６を備える切断端２２、ならびに非切断端２４を有する非導電性部材１２と、非導電性部材１２の第１の対向する平坦側部１４に、第１の対向する平坦側部１４の少なくとも一部が鋭利な切断縁部２６付近に露出するように配置された、アクティブ電極３０とを含む。ブレード１０の底部に対する鋭利な切断縁部２６の角度Ｘは、図１に示すように、２０度未満であってもよい。超極性電気外科用ブレード１０はまた、非導電性部材上に収容されたアクティブ電極およびリターン電極と連通する導電性インサート部材８０をも含む。図１は、導電性インサート部材８０のうちの１つと連通する、第１の対向する平坦側部１４上のアクティブ電極３０を示し、それによってその導電性インサート部材は上部アクティブ導電性インサート部材となっている。アクティブ電極３０は、非導電性部材１２の第１の対
向する平坦側部１４上に被着された導電層であってもよく、ステンレス鋼、銅、および／またはタングステンを含んでもよい。図１に示すように、アクティブ電極３０は、非導電性部材１２の第１の対向する平坦側部１４の長さに沿って、非導電性部材１２の頂部１８付近に延在する細長い導電層であり、非導電性部材１２の第１の対向する平坦側部１４に配置された「Ｖ」字形フック状の形状が非導電性部材１２の切断端２２付近にある。アクティブ電極３０はまた、非導電性部材１２の第１の対向する平坦側部１４の全長に沿って非導電性部材１２の非切断端２４まで延在し、次いで導電性インサート部材８０のうちの１つと連通するように非導電性部材１２の非切断端２４に巻き付く。非導電性部材１２はまた、導電性インサート部材８０を挿入するための非切断端２４内の開口（図示せず）と、超極性電気外科用ブレード１０が超極性伸縮電気外科用ペンシル内に配置されると超極性伸縮電気外科用ペンシルの内周に隣接して位置する丸みを帯びた部分９４とを含む。
【００２７】
図２は、図１に示した超極性電気外科用ブレード１０の例示的な実施形態の反対側の側面図である。超極性電気外科用ブレード１０は、第１および第２の対向する平坦側部１４，１６、頂部１８、底部２０、鋭利な切断縁部２６を備える切断端２２、ならびに非切断端２４を有する非導電性部材１２と、非導電性部材１２の第２の対向する平坦側部１６に、第２の対向する平坦側部１６の少なくとも一部が鋭利な切断縁部２６付近に露出するように配置された、リターン電極３２とを含む。超極性電気外科用ブレード１０はまた、非導電性部材１２上に収容されたアクティブ電極およびリターン電極と連通する導電性インサート部材８０をも含む。図２は、導電性インサート部材８０のうちの１つと連通する、第２の対向する平坦側部１６上のリターン電極３２を示し、それによってその導電性インサート部材は下部リターン導電性インサート部材となっている。リターン電極３２は、非導電性部材１２の第２の対向する平坦側部１６上に被着された導電層であってもよく、ステンレス鋼、銅、および／またはタングステンを含んでもよい。図２に示すように、リターン電極３２は、非導電性部材１２の第２の対向する平坦側部１６の長さに沿って、非導電性部材１２の頂部１８付近に延在する細長い導電層であり、非導電性部材１２の第２の対向する平坦側部１６に配置された「Ｖ」字形フック状の形状が非導電性部材１２の切断端２２付近にある。リターン電極３２はまた、非導電性部材１２の第２の対向する平坦側部１６の全長に沿って非導電性部材１２の非切断端２４まで延在し、次いで導電性インサート部材８０のうちの１つと連通するように非導電性部材１２の非切断端２４に巻き付く。非導電性部材１２はまた、導電性インサート部材８０を挿入するための非切断端２４内の開口（図示せず）と、超極性電気外科用ブレード１０が超極性伸縮電気外科用ペンシル内に配置されると超極性伸縮電気外科用ペンシルの内周に隣接して位置する丸みを帯びた部分９４とを含む。非導電性部材１２の第１および第２の対向する平坦側部１４，１６に位置するアクティブ電極３０およびリターン電極３２は、それぞれ対向する互いの鏡像である。
【００２８】
図３は、本発明の超極性伸縮電気外科用ペンシル１００の例示的な一実施形態の別々の構成部品を示す側面断面図であり、図１および図２に図示した超極性電気外科用ブレード１０を、本発明の超極性伸縮電気外科用ペンシル１００の中空伸縮部材内に設置された状態で示している。超極性伸縮電気外科用ペンシル１００は、第１および第２の端部１０４，１０６を備えるハンドピース部材１０２と、第１および第２の端部１１４，１１６を備える中空伸縮部材１１２であって、超極性伸縮電気外科用ペンシル１００が使用のために組み立てられると、中空伸縮部材１１２の第２の端部１１６がハンドピース部材１０２の第１の端部１０４内に同心円状に配置（および保持）される、中空伸縮部材１１２とを含む。超極性伸縮電気外科用ペンシル１００はまた、ハンドピース部材１０２の第１の端部１０４に配置される超極性電気外科用ブレード１０をも含む。超極性電気外科用ブレード１０は、対向する平坦側部１４，１６、鋭利な切断縁部２６を備える切断端２２、および対向する非切断端２４を有する非導電性平坦部材１２と、一方の対向する平坦側部１４に位置し、一方の対向する平坦側部１４の少なくとも一部が非導電性平坦部材１２の非導電
性切断端２２付近に露出する、アクティブ電極３０と、他方の対向する平坦側部１６（図示せず）に位置し、他方の対向する平坦側部の少なくとも一部が非導電性平坦部材１２の非導電性切断端２２付近に露出する、リターン電極３２（反対側にあるため図示せず）とを含む。非導電性平坦部材１２の非切断端２４には、導電性インサート部材８０が位置しており、それぞれアクティブ電極３０およびリターン電極３２と連通している。
【００２９】
超極性伸縮電気外科用ペンシル１００はまた、ハンドピース部材１０２の上部内面に取り付けられた（導電性チャネルの形をとり得る）導電性細長接点部材１２０と、導電性接点部材１２２であって、中空伸縮部材１１２の第２の端部１１６がハンドピース部材１０２内に配置されると、導電性接点部材１２２の一部がハンドピース部材１０２内に収容された導電性細長接点部材１２０と摺動可能に係合するように、導電性インサート部材８０を通じて電気外科用ブレード１０のアクティブ電極３０に接続された、導電性接点部材１２２とを含む。導電性接点部材１２２の一部は、中空伸縮部材１１２の内部に配置されてもよく、導電性接点部材１２２の一部は、中空伸縮部材１１２の外面に配置されてもよい。超極性伸縮電気外科用ペンシル１００はまた、中空伸縮部材１１２内に収容され、導電性インサート部材８０を通じて電気外科用ブレード３０のリターン電極（図示せず）に接続された、中空導電性管状部材１４０と、中空導電性管状部材１４０内でその長さに沿って摺動することができるようにハンドピース部材１０２内に収容された中実導電性ロッド部材１４２とを含む。中空伸縮部材１１２には、中空導電性管状部材１４０を中空伸縮部材１１２内に保持するための第１の支持部材１５０が接続されてもよく、ハンドピース部材１０２には、中実導電性ロッド部材１４２をハンドピース部材１０２内に保持するための第２の支持部材１５２が接続されてもよい。
【００３０】
導電性細長接点部材１２０は、ワイヤなどの電気的連通手段を介して回路基板１６０に接続されており、それによって超極性電気外科用ブレード１０のアクティブ電極３０を回路基板１６０に接続する。ワイヤ１７０などの連通手段が、超極性伸縮電気外科用ペンシル１００に電力を供給するために回路基板１６０を電気手術器（図示せず）に接続し、超極性伸縮電気外科用ペンシル１００は、電気外科用ペンシル１００の上部１６６に位置する作動ボタン１６４を介して動作させることができる。ワイヤ１７２などの連通手段も、中空導電性管状部材１４０および中実導電性ロッド部材１４２を介してリターン電極（図示せず）を電気手術器（図示せず）に接続するために使用され得る。導電性細長接点部材１２０との導電性接点部材１２２の摺動可能な係合、および中空導電性管状部材１４０内での中実導電性ロッド部材１４２の摺動可能な係合が、ハンドピース部材１０２に対する中空伸縮部材１１２の伸縮を可能にする。これにより、外科医または使用者が超極性伸縮電気外科用ペンシルを長くするまたは短くすることが可能になり、行われる電気外科手術のタイプおよび領域に応じたその使用がより容易になる。
【００３１】
超極性伸縮電気外科用ペンシル１００はまた、ノズル部材１８０であって、超極性電気外科用ブレード１０の少なくとも一部がノズル部材１８０および中空伸縮部材１１２の第１の端部１１４内に収容されるように中空伸縮部材１１２の第１の端部１１４に接続された、ノズル部材１８０をも含む。ノズル部材１８０は、透明であってもよく、図４および図５に示す実施形態のような煙排出チャネルを含む超極性伸縮電気外科用ペンシルの煙排出チャネルに煙および／またはデブリを送り込むように機能する。超極性伸縮電気外科用ペンシル１００はまた、ハンドピース部材１０２の第２の端部１０６に接続された旋回部材１８６をも含む。
【００３２】
図４は、本発明の超極性伸縮電気外科用ペンシル２００の別の例示的な実施形態の別々の構成部品を示す側面断面図であり、図１および図２に図示した超極性電気外科用ブレード１０を、本発明の超極性伸縮電気外科用ペンシルの中空伸縮部材内に設置された状態で示している。図３に示した実施形態とこの実施形態との間の主な違いは、超極性伸縮電気
外科用ペンシル２００のこの実施形態が煙排出チャネルを含み、超極性電気外科用ブレードのアクティブ接点およびリターン接点が、超極性伸縮電気外科用ペンシル２００を電気手術器／電気手術器発生器（ＥＳＵ）に接続するために使用される絶縁電源コード内に共に収容されたアクティブワイヤおよびリターンワイヤに最終的に接続されていることである。
【００３３】
超極性伸縮電気外科用ペンシル２００は、第１および第２の端部２０４，２０６を備えるハンドピース部材２０２と、第１および第２の端部２１４，２１６を備える中空伸縮部材２１２であって、超極性伸縮電気外科用ペンシル２００が使用のために組み立てられると、中空伸縮部材２１２の第２の端部２１６がハンドピース部材２０２の第１の端部２０４内に同心円状に配置（および保持）される、中空伸縮部材２１２とを含む。超極性伸縮電気外科用ペンシル２００はまた、ハンドピース部材２０２の第１の端部２０４に配置される超極性電気外科用ブレード１０をも含む。超極性電気外科用ブレード１０は、対向する平坦側部１４，１６、鋭利な切断縁部２６を備える切断端２２、および対向する非切断端２４を有する非導電性平坦部材１２と、一方の対向する平坦側部１４に位置し、一方の対向する平坦側部１４の少なくとも一部が非導電性平坦部材１２の非導電性切断端２２付近に露出する、アクティブ電極３０と、他方の対向する平坦側部１６（図示せず）に位置し、他方の対向する平坦側部の少なくとも一部が非導電性平坦部材１２の非導電性切断端２２付近に露出する、リターン電極３２（反対側にあるため図示せず）とを含む。非導電性平坦部材１２の非切断端２４には、導電性インサート部材８０が位置しており、それぞれアクティブ電極３０およびリターン電極３２と連通している。
【００３４】
超極性伸縮電気外科用ペンシル２００はまた、ハンドピース部材２０２の上部内面に取り付けられた（導電性チャネルの形をとり得る）導電性細長接点部材２２０と、導電性接点部材２２２であって、中空伸縮部材２１２の第２の端部２１６がハンドピース部材２０２内に配置されると、導電性接点部材２２２の一部がハンドピース部材２０２内に収容された導電性細長接点部材２２０と摺動可能に係合するように、導電性インサート部材８０を通じて電気外科用ブレード１０のアクティブ電極３０に接続された、導電性接点部材２２２とを含む。導電性接点部材２２２の一部は、中空伸縮部材２１２の内部に配置されてもよく、導電性接点部材２２２の一部は、中空伸縮部材２１２の外面に配置されてもよい。超極性伸縮電気外科用ペンシル２００はまた、中空伸縮部材２１２内に収容され、導電性インサート部材８０を通じて電気外科用ブレード３０のリターン電極（図示せず）に接続された、中空導電性管状部材２４０と、中空導電性管状部材２４０内でその長さに沿って摺動することができるようにハンドピース部材２０２内に収容された中実導電性ロッド部材２４２とを含む。中空伸縮部材２１２には、中空導電性管状部材２４０を中空伸縮部材２１２内に保持するための第１の支持部材２５０が接続されてもよく、ハンドピース部材２０２には、中実導電性ロッド部材２４２をハンドピース部材２０２内に保持するための第２の支持部材２５２が接続されてもよい。
【００３５】
導電性細長接点部材２２０は、ワイヤなどの電気的連通手段を介して回路基板２６０に接続されており、それによって超極性電気外科用ブレード１０のアクティブ電極３０を回路基板２６０に接続する。ワイヤ２７０などの連通手段が、超極性伸縮電気外科用ペンシル２００に電力を供給するために回路基板２６０を電気手術器（図示せず）に接続し、超極性伸縮電気外科用ペンシル２００は、電気外科用ペンシル２００の上部２６６に位置する作動ボタン２６４を介して動作させることができる。ワイヤ２７２などの連通手段も、中空導電性管状部材２４０および中実導電性ロッド部材２４２を介してリターン電極（図示せず）を電気手術器（図示せず）に接続するために使用され得る。ワイヤ２７０および２７２は、絶縁電源コード２７４内に収容されており、これは、電気手術器（ＥＳＵ）上の異なる単極および双極接続モードへの超極性伸縮電気外科用ペンシル２００のより簡単な接続を提供する。導電性細長接点部材２２０との導電性接点部材２２２の摺動可能な係
合、および中空導電性管状部材２４０内での中実導電性ロッド部材２４２の摺動可能な係合が、ハンドピース部材２０２に対する中空伸縮部材２１２の伸縮を可能にする。これにより、外科医または使用者が超極性伸縮電気外科用ペンシルを長くするまたは短くすることが可能になり、行われる電気外科手術のタイプおよび領域に応じたその使用がより容易になる。
【００３６】
超極性伸縮電気外科用ペンシル２００はまた、ノズル部材２８０であって、超極性電気外科用ブレード１０の少なくとも一部がノズル部材２８０および中空伸縮部材２１２の第１の端部２１４内に収容されるように中空伸縮部材２１２の第１の端部２１４に接続された、ノズル部材２８０をも含む。ノズル部材２８０は、透明であってもよく、ブレード１０を囲むノズル２８０内の領域２９０から煙排出チャネル２９２に煙および／またはデブリを送り込むように機能する。超極性伸縮電気外科用ペンシル２００はまた、ハンドピース部材２０２の第２の端部２０６に接続された一方の端部と、手術部位から煙およびデブリを排出するための真空管２９８に接続可能な他方の端部とを有する旋回部材２８６をも含む。超極性伸縮電気外科用ペンシル２００のこの実施形態では、ノズル２８０、中空伸縮部材２１２、ハンドピース部材２０２、および旋回部材２８６は、超極性伸縮電気外科用ペンシル２００内に収容された煙排出チャネルを共に形成する。
【００３７】
図５は、本発明の超極性伸縮電気外科用ペンシル３００のさらに別の例示的な実施形態の別々の構成部品を示す側面断面図であり、図１および図２に図示した超極性電気外科用ブレードを、本発明の超極性伸縮電気外科用ペンシル３００の中空伸縮部材内に設置された状態で示している。図４に示した実施形態とこの実施形態との間の主な違いは、超極性伸縮電気外科用ペンシル３００のこの実施形態が、電気外科用ブレード１０のアクティブ電極およびリターン電極に接続する、中空伸縮部材およびハンドピース部材内の摺動可能な係合手段を一切使用しないことである。
【００３８】
超極性伸縮電気外科用ペンシル３００は、第１および第２の端部３０４，３０６を備えるハンドピース部材３０２と、第１および第２の端部３１４，３１６を備える中空伸縮部材３１２であって、超極性伸縮電気外科用ペンシル３００が使用のために組み立てられると、中空伸縮部材３１２の第２の端部３１６がハンドピース部材３０２の第１の端部３０４内に同心円状に配置（および保持）される、中空伸縮部材３１２とを含む。超極性伸縮電気外科用ペンシル３００はまた、ハンドピース部材３０２の第１の端部３０４に配置される超極性電気外科用ブレード１０をも含む。超極性電気外科用ブレード１０は、対向する平坦側部１４，１６、鋭利な切断縁部２６を備える切断端２２、および対向する非切断端２４を有する非導電性平坦部材１２と、一方の対向する平坦側部１４に位置し、一方の対向する平坦側部１４の少なくとも一部が非導電性平坦部材１２の非導電性切断端２２付近に露出する、アクティブ電極３０と、他方の対向する平坦側部１６（図示せず）に位置し、他方の対向する平坦側部の少なくとも一部が非導電性平坦部材１２の非導電性切断端２２付近に露出する、リターン電極３２（反対側にあるため図示せず）とを含む。非導電性平坦部材１２の非切断端２４には、導電性インサート部材８０が位置しており、それぞれアクティブ電極３０およびリターン電極３２と連通している。
【００３９】
超極性伸縮電気外科用ペンシル３００はまた、第１の絶縁ワイヤ３２２であって、電気外科用ブレード１０のアクティブ電極、および第１の絶縁ワイヤ３２２の少なくとも一部をハンドピース部材３０２の上部内側付近に保持するための第１の保持要素３２５に接続された、第１の絶縁ワイヤ３２２と、第２の絶縁ワイヤ３２４であって、電気外科用ブレード１０のリターン電極、および第２の絶縁ワイヤ３２４の少なくとも一部をハンドピース部材３０２の下部内側付近に保持するための第２の保持要素３５２に接続された、第２の絶縁ワイヤ３２４とを含む。
【００４０】
第１の絶縁ワイヤ３２２は、回路基板３６０に接続されており、それによって超極性電気外科用ブレード１０のアクティブ電極３０を回路基板３６０に接続する。ワイヤ３７０などの連通手段が、超極性伸縮電気外科用ペンシル３００に電力を供給するために回路基板３６０を電気手術器（図示せず）に接続し、超極性伸縮電気外科用ペンシル３００は、電気外科用ペンシル３００の上部３６６に位置する作動ボタン３６４を介して動作させることができる。第２の絶縁ワイヤ３２４は、リターン電極（図示せず）を電気手術器（図示せず）に接続する。第１および第２の絶縁ワイヤ３２２，３２４は、外科医または使用者が、ハンドピース部材３０２からまたはハンドピース部材３０２に中空伸縮部材３２２を伸長または収縮させることにより、超極性伸縮電気外科用ペンシルを長くするまたは短くするとき、中空伸縮部材３１２およびハンドピース部材３０２内で自由に移動する。
【００４１】
超極性伸縮電気外科用ペンシル３００はまた、ノズル部材３８０であって、超極性電気外科用ブレード１０の少なくとも一部がノズル部材３８０および中空伸縮部材３１２の第１の端部３１４内に収容されるように中空伸縮部材３１２の第１の端部３１４に接続された、ノズル部材３８０をも含む。ノズル部材３８０は、透明であってもよく、ブレード１０を囲むノズル３８０内の領域３９０から煙排出チャネル３９２に煙および／またはデブリを送り込むように機能する。超極性伸縮電気外科用ペンシル３００はまた、ハンドピース部材３０２の第２の端部３０６に接続された一方の端部と、手術部位から煙およびデブリを排出するための真空管３９８に接続可能な他方の端部とを有する旋回部材３８６をも含む。超極性伸縮電気外科用ペンシル３００のこの実施形態では、ノズル３８０、中空伸縮部材３１２、ハンドピース部材３０２、および旋回部材３８６は、超極性伸縮電気外科用ペンシル３００内に収容された煙排出チャネルを共に形成する。
【００４２】
超極性伸縮電気外科用ペンシルの異なる実施形態を備える別々の構成部品の変形形態を混合および適合させて、本発明の超極性伸縮電気外科用ペンシルの任意の数の実施形態を生み出すことができることを理解されたい。たとえば、絶縁アクティブおよびリターン電極ワイヤを収容する図４に示した電源コードを、図３に示した超極性伸縮電気外科用ペンシルの実施形態、ならびに図５に示した超極性伸縮電気外科用ペンシルの実施形態に使用して、本発明の超極性伸縮電気外科用ペンシルのさらに２つの例示的な実施形態を生み出してもよい。さらに別の非限定的な例では、図３に示した超極性電気外科用ブレードは、煙およびデブリを、手術部位から離れる方向に、超極性電気外科用ブレードの周りを、中空伸縮部材およびハンドピース部材内の開放チャネルを通って排出することができるように、図４に示したもののように設置部材を使用して超極性伸縮電気外科用ペンシルの中空伸縮部材内に設置されてもよく、それによって本発明の超極性伸縮電気外科用ペンシルのさらに別の例示的な実施形態を生み出す。
【００４３】
図６は、本発明の非伸縮超極性電気外科用ペンシル４００の例示的な実施形態の側面断面図である。非伸縮超極性電気外科用ペンシル４００は、第１および第２の端部４０４，４０６を備えるハンドピース４０２と、ハンドピース４０２の第１の端部４０４に配置される電気外科用ブレード４１０であって、対向する平坦側部４１４，４１６、鋭利な切断縁部４２６を備える切断端４２２、および対向する非切断端４２４を有する非導電性平坦部材４１２、一方の対向する平坦側部４１４に位置し、一方の対向する平坦側部４１４の少なくとも一部が非導電性平坦部材４１２の非導電性切断端２４２付近に露出する、アクティブ電極４３０、ならびに他方の対向する平坦側部４１６（図示せず）に位置し、他方の対向する平坦側部の少なくとも一部が非導電性平坦部材４１２の非導電性切断端４２２付近に露出する、リターン電極４３２（反対側にあるため図示せず）を含む、電気外科用ブレード４１０とを含む。ハンドピース４０２は、電気外科用ペンシル４００の作動中に手術部位から煙およびデブリを排出するための、その中に収容された煙排出チャネル４０８をさらに備えてもよい。加えて、ハンドピース４０２は、非導電性平坦部材４１２の鋭利な切断縁部４２６が、超極性電気外科用ブレード４１０に電力を印加することなく正確
な切断を行うことができるので、１つだけの凝固用の作動ボタン４０９をさらに備えてもよい。あるいは、ハンドピース部材は、２つ以上の切断および凝固用の作動ボタン４０９を含んでもよい。超極性電気外科用ブレード４１０はまた、超極性電気外科用ブレード４１０を電気外科用ペンシルに接続するように機能するコネクタ４９０をも含んでもよい。超極性電気外科用ペンシル４００はまた、透明であってもよい、ハンドピース４０２に接続されたノズル部材４４０をも含んでもよく、その場合、ハンドピース４０２の第１の端部４０４はノズル部材４４０の一部である。超極性電気外科用ハンドピース４００はまた、超極性電気外科用ブレード４１０のアクティブ電極４３０を超極性電気外科用ペンシル４００の回路基板４４８に接続するための、ワイヤ４４５などの導電性連通手段と、超極性電気外科用ブレード２４０のリターン電極４３２を超極性電気外科用ペンシル４００用の導電性配線を収容する電源コード（図示せず）に接続するための、ワイヤ４４６などの導電性連通手段とを含む。超極性電気外科用ペンシル４００はまた、ハンドピース４０２の第２の端部４０６に接続され、さらには手術部位から煙およびデブリを排出するための真空管に接続された、旋回部材４６０をも含んでもよい。
【００４４】
超極性伸縮および非伸縮電気外科用ペンシルのハンドピース部材は、非導電性平坦部材の鋭利な切断端／縁部が、超極性電気外科用ブレードに電力を印加することなく正確な切断を行うことができるので、１つだけの凝固用の作動ボタンを含んでもよい。あるいは、ハンドピースは、２つ以上の切断および凝固用の作動ボタンを含んでもよい。
【００４５】
本発明の超極性伸縮および非伸縮電気外科用ペンシルは、電気外科手術を行うために使用する際に単極モードまたは双極モードで使用し得る。超極性伸縮および非伸縮電気外科用ペンシルは、２０ワット未満の電力レベルで組織を切断および凝固することが可能であり得て、１５ワットで特に良好に働き得る。
【００４６】
＜超極性伸縮電気外科用ペンシルの特徴および利点＞
非導電性平坦部材の対向する側部に位置するアクティブ電極およびリターン電極を構成する導電層は、電気外科用ブレードが組織を切断および凝固する間に非常に低い電力レベル（１５〜２０ワットなどまたはそれ以下）で機能することを依然として可能にしながら、任意の数の構成を呈し得る。本発明の超極性伸縮および非伸縮電気外科用ペンシルは、患者の身体に電流を通さないことにより組織抵抗が大幅に低減するため、低電力を用いて動作および機能することができる。他の電気外科用ペンシルとは異なり、本発明の超極性伸縮および非伸縮電気外科用ペンシルは、リターン電極板を患者の身体に配置することを必要としない。その結果、無線周波数電流が患者の身体を通らず、したがって身体の抵抗がほぼゼロである。したがって、本発明は、リターン電極を患者に配置せず、電流が患者の身体を通らないので、患者がリターン電極によって熱傷する危険がないため、他の電気外科用ペンシルよりもはるかに安全である。
【００４７】
超極性伸縮および非伸縮電気外科用ペンシルの超極性電気外科用ブレードの鋭利な切断縁部は、超極性伸縮電気外科用ペンシルに電力を印加することなく組織を切断することができ、超極性伸縮電気外科用ペンシルに電力が印加されると組織を切断および凝固することもできる。
【００４８】
本発明の超極性伸縮および非伸縮電気外科用ペンシルは、組織への最小限の側方損傷でまたは側方損傷なく、また組織の焦げまたは焼けなしに、切断後に組織が出血するのを止める。さらに、組織を切断および／または凝固する間に、組織が超極性伸縮および非伸縮電気外科用ペンシルの超極性電気外科用ブレードにくっつかない。加えて、超極性伸縮および非伸縮電気外科用ペンシルが機能するのに必要な低電力または低減電力、ならびに組織の最小限のまたは存在しない焦げのために、超極性伸縮および非伸縮電気外科用ペンシルを使用する際に煙がごくわずかしか発生しない。
【００４９】
本発明の超極性電気外科用ブレードならびに超極性伸縮および非伸縮電気外科用ペンシルは、単極モードと双極モードの両方で使用することができ、それによってほぼいずれの電気手術器とも共に使用することができる電気外科用ブレードおよび電気外科用ペンシルを提供する。加えて、超極性伸縮電気外科用ペンシルの伸縮機構（すなわち、中空伸縮部材）は、行われる特定の外科的処置に応じて使用者または外科医が超極性電気外科用ペンシルの長さを延長または縮小することを可能にする。
【００５０】
上記の例示的な実施形態は、本発明の範囲、適用性、または構成をいかなる形でも限定することを意図するものではない。むしろ、本開示は、例示的な実施形態およびモードの実施と、当業者に知られているかまたは明らかな等価なモードまたは実施形態の両方を教示することを意図するものである。さらに、含まれる全ての図は、例示的な実施形態およびモードの非限定的な例示であり、同様に、当業者に知られているかまたは明らかな任意の等価なモードまたは実施形態に役立つものである。
【００５１】
具体的に記載されていないものに加えて、本発明の実施において用いられる構造、配置、用途、割合、要素、材料、もしくは構成部品の他の組合せおよび／または修正は、本発明の範囲から逸脱することなく、変更するか、そうでない場合には、特定の環境、製造仕様、設計パラメータ、または他の動作要件に特に適合させることができ、また本開示に包含されることを意図するものである。
【図１】
2019528988.tif 000003
【図２】
2019528988.tif 000004
【図３】
2019528988.tif 000005
【図４】
2019528988.tif 000006
【図５】
2019528988.tif 000007
【図６】
2019528988.tif 000008
【国際調査報告】
2019528988.tif 000009